(57)【要約】【課題】各被検者の反応速度に応じたランダムな視標提示時間間隔で視野測定を行うことが出来る視野計及び視野計用プログラムの提供。【解決手段】視野ドーム１８内に、視標１９を所定の時間間隔で提示して、被検者の視野を測定することの出来る視野計５０において、初期提示動作において、被検者について視標を複数回提示して、該視標を提示してから当該視標を認識するまでの時間から被検者応答時間Ｔｔを演算する手段、ランダム時間値Ｔｒを演算発生させる手段、演算発生されたランダム時間値Ｔｒ及び演算された被検者応答時間Ｔｔに基づいて、本測定動作における視標１９の提示間隔Ｔｅを演算する手段及び、演算された視標の提示間隔で、視標を被検者に対して提示し、当該被検者に対する視野の本測定動作を実行する手段を有する。本測定動作において、視標の提示間隔を各被検者についてランダムに変化させることが出来る。【選択図】    図３
2007029112.tif 000002
【特許請求の範囲】
【請求項１】
被検者に対して視標を所定の時間間隔で提示して、被検者の視野を測定することの出来る視野計において、
前記視野の測定に際して、被検者について初期提示動作の実行を指令する初期提示動作実行指令手段、
前記初期提示動作において、被検者について、前記視標を複数回提示して、各回毎に、該視標を提示してから、当該視標を認識するまでの時間を応答時間としてそれぞれ計測し、メモリに格納する初期提示動作実行手段、
前記メモリに格納された前記被検者についての所定回数の応答時間に基づいて、当該被検者についての被検者応答時間を演算する被検者応答時間演算手段、
前記被検者についての複数回の応答時間の計測が終了したところで、前記被検者について本測定動作を実行するように指令する本測定動作実行指令手段、
ランダム時間値を演算発生させるランダム時間値発生手段、
ランダム時間値発生手段により演算発生されたランダム時間値及び前記被検者応答時間演算手段により演算された被検者応答時間に基づいて、前記本測定動作における視標の提示間隔を演算する視標提示間隔演算手段、及び、
前記視標提示間隔演算手段により演算された視標の提示間隔で、前記視標を被検者に対して提示し、当該被検者に対する視野の本測定動作を実行する、本測定動作実行手段、
を有し、前記本測定動作において、前記視標の提示間隔を前記各被検者についてランダムに変化させるようにして構成したことを特徴とする視野計。
【請求項２】
前記視標提示間隔演算手段は、ランダム時間値発生手段により演算発生されたランダム時間値と前記被検者応答時間演算手段により演算された被検者応答時間を加算した加算時間を演算する加算手段を有し、
前記本測定動作における視標の提示間隔は、前記加算手段により演算された加算時間に基づいて演算することを特徴とする、請求項１記載の視野計。
【請求項３】
前記被検者応答時間演算手段は、前記被検者についての複数回の応答時間の平均値を前記被検者応答時間として演算することを特徴とする、請求項１記載の視野計。
【請求項４】
前記被検者応答時間演算手段は、前記被検者についての複数回の応答時間の中の、最大値を前記被検者応答時間として演算することを特徴とする、請求項１記載の視野計。
【請求項５】
被検者に対して視標を所定の時間間隔で提示して、被検者の視野を測定することの出来る、コンピュータを内蔵する視野計に用いられるプログラムであって、
前記プログラムは、前記コンピュータを、
前記視野の測定に際して、被検者について初期提示動作の実行を指令する初期提示動作実行指令手段、
前記初期提示動作において、被検者について、前記視標を複数回提示して、各回毎に、該視標を提示してから、当該視標を認識するまでの時間を応答時間としてそれぞれ計測し、メモリに格納する初期提示動作実行手段、
前記メモリに格納された前記被検者についての所定回数の応答時間に基づいて、当該被検者についての被検者応答時間を演算する被検者応答時間演算手段、
前記被検者についての複数回の応答時間の計測が終了したところで、前記被検者について本測定動作を実行するように指令する本測定動作実行指令手段、
ランダム時間値を演算発生させるランダム時間値発生手段、
ランダム時間値発生手段により演算発生されたランダム時間値及び前記被検者応答時間演算手段により演算された被検者応答時間に基づいて、前記本測定動作における視標の提示間隔を演算する視標提示間隔演算手段、及び、
前記視標提示間隔演算手段により演算された視標の提示間隔で、前記視標を被検者に対して提示し、当該被検者に対する視野の本測定動作を実行する、本測定動作実行手段、
として機能させるためのプログラムであり、前記本測定動作において、前記視標の提示間隔を前記各被検者についてランダムに変化させるようにしたことを特徴とする視野計用プログラム。
【請求項６】
前記視標提示間隔演算手段は、ランダム時間値発生手段により演算発生されたランダム時間値と前記被検者応答時間演算手段により演算された被検者応答時間を加算した加算時間を演算する加算手段を有し、
前記本測定動作における視標の提示間隔は、前記加算手段により演算された加算時間に基づいて演算することを特徴とする、請求項５記載の視野計用プログラム。
【請求項７】
前記被検者応答時間演算手段は、前記被検者についての複数回の応答時間の平均値を前記被検者応答時間として演算することを特徴とする、請求項５記載の視野計用プログラム。
【請求項８】
前記被検者応答時間演算手段は、前記被検者についての複数回の応答時間の中の、最大値を前記被検者応答時間として演算することを特徴とする、請求項５記載の視野計用プログラム。
【発明の詳細な説明】
【技術分野】
【０００１】
本発明は、視標提示間隔をランダムに変更することの出来る、視野計及び視野計用プログラムに関する。
【背景技術】
【０００２】
従来、視野計では、特許文献１に開示されたものが知られている。
【０００３】
【特許文献１】特開２００２−２７２６８５号公報
【発明の開示】
【発明が解決しようとする課題】
【０００４】
従来の視野計では、視標の提示から次の視標の提示までの時間間隔が一定に設定されていたために、被検者が視標提示の時間間隔に慣れてしまい、視標を視認していないにも拘わらず、一定のリズムで検査ボタンを押してしまい、視標が提示されていないのに応答があるなどの「偽陽性応答」が出現しやすく、検査の信頼性が低くなってしまう不都合があった。
【０００５】
そこで、視標の提示から次の視標の提示までの時間間隔をランダムに変化させて、被検者が視標提示の時間間隔に慣れてしまわないようにすることが考えられる。しかし、単に視標の提示時間間隔をランダムにすると、各測定点における測定に要する時間に個人差があるので、すべての被検者に適した測定時間を確保するためには、各測定点について十分な測定時間を確保した中で、ランダムに視標を提示する必要がある。
【０００６】
しかし、こうした方法では、視野計における測定点は、数十カ所から百数十カ所に及ぶことから、反応速度の速い被検者の場合には、各測定点で不必要に待たされて検査のストレスがたまってしまう不都合が生じるばかりか、被検者について無駄な待ち時間が積算されることにより、一人一人の検査に要する時間が長くなってしまう不都合が生じる。
【０００７】
本発明は、上記した事情に鑑み、各被検者の反応速度に応じたランダムな視標提示時間間隔で視野測定を行うことの出来、無駄な待ち時間を極力減らすことの出来る視野計及び視野計用プログラムを提供することを目的とするものである。
【課題を解決するための手段】
【０００８】
請求項１の発明は、被検者に対して視標（１９）を所定の時間間隔で提示して、被検者の視野を測定することの出来る視野計（５０）において、
前記視野の測定に際して、被検者について初期提示動作の実行を指令する初期提示動作実行指令手段、
前記初期提示動作において、被検者について、前記視標を複数回提示して、各回毎に、該視標を提示してから、当該視標を認識するまでの時間を応答時間（Ｔｄ）としてそれぞれ計測し、メモリに格納する初期提示動作実行手段、
前記メモリに格納された前記被検者についての所定回数の応答時間（Ｔｄ）に基づいて、当該被検者についての被検者応答時間（Ｔｔ）を演算する被検者応答時間演算手段、
前記被検者についての複数回の応答時間の計測が終了したところで、前記被検者について本測定動作を実行するように指令する本測定動作実行指令手段、
ランダム時間値（Ｔｒ）を演算発生させるランダム時間値発生手段、
ランダム時間値発生手段により演算発生されたランダム時間値（Ｔｒ）及び前記被検者応答時間演算手段により演算された被検者応答時間（Ｔｔ）に基づいて、前記本測定動作における視標（１９）の提示間隔（Ｔｅ）を演算する視標提示間隔演算手段、及び、
前記視標提示間隔演算手段により演算された視標の提示間隔で、前記視標を被検者に対して提示し、当該被検者に対する視野の本測定動作を実行する、本測定動作実行手段、
を有し、前記本測定動作において、前記視標の提示間隔を前記各被検者についてランダムに変化させるようにして構成したことを特徴として構成される。
【０００９】
また、請求項２の発明は、請求項１記載の視野計において、前記視標提示間隔演算手段は、ランダム時間値発生手段により演算発生されたランダム時間値（Ｔｒ）と前記被検者応答時間演算手段により演算された被検者応答時間（Ｔｔ）を加算した加算時間を演算する加算手段を有し、
前記本測定動作における視標の提示間隔（Ｔｅ）は、前記加算手段により演算された加算時間に基づいて演算することを特徴として構成される。
【００１０】
請求項３の発明は、請求項１記載の視野計において、前記被検者応答時間演算手段は、前記被検者についての複数回の応答時間（Ｔｄ）の平均値を前記被検者応答時間（Ｔｔ）として演算することを特徴として構成される。
【００１１】
請求項４の発明は、請求項１記載の視野計において、前記被検者応答時間演算手段は、前記被検者についての複数回の応答時間（Ｔｄ）の中の、最大値を前記被検者応答時間（Ｔｔ）として演算することを特徴として構成される。
【００１２】
請求項５の発明は、被検者に対して視標を所定の時間間隔で提示して、被検者の視野を測定することの出来る、コンピュータを内蔵する視野計に用いられるプログラムであって、
前記プログラムは、前記コンピュータを、
前記視野の測定に際して、被検者について初期提示動作の実行を指令する初期提示動作実行指令手段、
前記初期提示動作において、被検者について、前記視標を複数回提示して、各回毎に、該視標を提示してから、当該視標を認識するまでの時間を応答時間としてそれぞれ計測し、メモリに格納する初期提示動作実行手段、
前記メモリに格納された前記被検者についての所定回数の応答時間に基づいて、当該被検者についての被検者応答時間を演算する被検者応答時間演算手段、
前記被検者についての複数回の応答時間の計測が終了したところで、前記被検者について本測定動作を実行するように指令する本測定動作実行指令手段、
ランダム時間値を演算発生させるランダム時間値発生手段、
ランダム時間値発生手段により演算発生されたランダム時間値及び前記被検者応答時間演算手段により演算された被検者応答時間に基づいて、前記本測定動作における視標の提示間隔を演算する視標提示間隔演算手段、及び、
前記視標提示間隔演算手段により演算された視標の提示間隔で、前記視標を被検者に対して提示し、当該被検者に対する視野の本測定動作を実行する、本測定動作実行手段、
として機能させるためのプログラムであり、前記本測定動作において、前記視標の提示間隔を前記各被検者についてランダムに変化させるようにしたことを特徴とする視野計用プログラムとして構成される。
【００１３】
請求項６の発明は、請求項５記載の視野計用プログラムにおいて、前記視標提示間隔演算手段は、ランダム時間値発生手段により演算発生されたランダム時間値と前記被検者応答時間演算手段により演算された被検者応答時間を加算した加算時間を演算する加算手段を有し、
前記本測定動作における視標の提示間隔は、前記加算手段により演算された加算時間に基づいて演算することを特徴として構成される。
【００１４】
請求項７の発明は、請求項５記載の視野計用プログラムにおいて、前記被検者応答時間演算手段は、前記被検者についての複数回の応答時間の平均値を前記被検者応答時間として演算することを特徴して構成される。
【００１５】
請求項８の発明は、請求項５記載の視野計用プログラムにおいて、前記被検者応答時間演算手段は、前記被検者についての複数回の応答時間の中の、最大値を前記被検者応答時間として演算することを特徴として構成される。
【発明の効果】
【００１６】
請求項１及び５の発明によれば、それぞれの被検者について、視標を提示してから当該視標を認識するまでの実際の応答時間を実測し、それら複数回の実測値及びランダム時間値発生手段により演算発生されたランダム時間値に基づいて、当該被検者に対する視標の提示間隔（Ｔｅ）が、演算決定される。従って、被検者各人に特有の応答時間を考慮した形で視標の提示間隔（Ｔｅ）をランダムに決定することが出来、無駄な待ち時間を極力減らすことの出来る視野計及び視野計用プログラムの提供が可能となる。
【００１７】
請求項２及び６の発明によれば、ランダム時間発生手段により演算発生されたランダム時間値（Ｔｒ）と被検者応答時間演算手段により演算された被検者応答時間（Ｔｔ）を加算した加算時間に基づいて視標の提示間隔（Ｔｅ）が演算されるので、視標の提示間隔（Ｔｅ）は、実際の被検者応答時間（Ｔｔ）にランダム時間値（Ｔｒ）が加算された形となり、各被検者についての応答時間（Ｔｄ）に応じた視標提示間隔（Ｔｅ）を求めることが出来る。
【００１８】
請求項３及び７の発明によれば、被検者応答時間演算手段は、被検者についての複数回の応答時間（Ｔｄ）の平均値を前記被検者応答時間（Ｔｔ）として演算するので、被検者の応答時間（Ｔｄ）のばらつきを平均化することが出来、適切な視標提示間隔（Ｔｅ）の設定が可能となる。
【００１９】
請求項４及び８の発明によれば、被検者応答時間演算手段は、被検者についての複数回の応答時間（Ｔｄ）の中の、最大値を被検者応答時間（Ｔｔ）として演算するので、被検者に余裕を与えた形での被検者応答時間（Ｔｔ）の設定可能となり、被検者の測定に際したストレスを少なくすることが出来る。
【００２０】
なお、括弧内の番号等は、図面における対応する要素を示す便宜的なものであり、従って、本記述は図面上の記載に限定拘束されるものではない。
【発明を実施するための最良の形態】
【００２１】
以下、図面に基づき、本発明の実施例を説明する。
【００２２】
図１は、視野計の構造の一例を示す図、図２は、視標の提示タイミングと被検者の応答タイミングの一例を示すタイムチャート、図３は、視標提示制御の一例を示すフローチャートである。
【００２３】
視野計１は、図１に示すように、視野ドーム１８を有しており、視野ドーム１８の中心位置に被検者のためのあご台（不図示）が配置される。測定時には不図示のアライメント機構を介して被検眼が視野ドーム１８の中心に位置するようにあご台の位置がアライメントされる。視野ドーム１８内部には背景照明用のランプ１６、１６が配置されている。なお、本発明が適用される視野計としては、図１に示す視野ドーム１８を有するタイプに限らず、他のタイプの視野計にも適用することが出来る。
【００２４】
被検者は、視野ドーム１８内側の投影面に投影された視標１９の注視を求められ、それが視認できた場合には何らかの適当な方法（応答スイッチ１７の操作、あるいは音声による応答）で検者に応答を返す。
【００２５】
視標１９を投影するために、図１では符号５で示す視標投影機構が配置されている。符号２は光源としての視標投影ランプ（ハロゲンランプ）で、その後方には反射鏡１が配置されている。視標投影ランプ２の光は集光レンズ３、視標板４を経てリレーレンズ８に入射する。視標板４は視標の大きさを決めるためのもので、開口が複数設けられ、後述のＣＰＵ２１の制御により適当なサイズの開口が光軸上に移動されるようになっている。さらに、リレーレンズ８を通って、フォーカスレンズ９、シャッタ１０（の開口）を経て、ミラー１１で反射され、リレーレンズ１２を経由してミラー１３で反射される。
【００２６】
本実施形態では、視標１９の投影位置を制御するために、２つのミラー１４Ａ、ミラー１４Ｂ、が設けられ、不図示のモータなどの駆動機構を介してその回動位置がＣＰＵ２１により制御される。そして最終的に視標１９がプロジェクターレンズ１５を介して視野ドーム１８の投影面に投影される。
【００２７】
本実施形態の視野計は、ＣＰＵ２１の制御により視標の投影機構５をあらかじめ定められたプログラムにしたがって制御することにより自動視野計として用いることができる。各種の視野測定プログラムは従来と同様であるので、ここでは説明を省略する。
【００２８】
本実施形態の視野計の制御系は以下のように構成されている。ＣＰＵ２１は、Ｉ／Ｏポート２８を介して、上記の視標の投影機構（１〜１５）に含まれるモータ、ソレノイドなどを制御し、また、上記の応答スイッチ１７などの情報を入力する。
【００２９】
また、ＣＰＵ２１には、ＬＣＤやＣＲＴなどの表示装置から成るモニタ２６が接続されており、このモニタ２６は検査データの出力、設定時のメニュー表示などに用いられる。また、モニタ２６の画面上にはタッチパネル２９（座標検出方式は任意）が配置され、このタッチパネル２９は指や専用の入力ペンによりメニュー選択、視標投影位置の座標入力に用いることができる。
【００３０】
検査者は、上記のタッチパネル２９、あるいはキーボード２７を用いて検査を制御することができ、これらにより測定プログラムの１つを指定し、検査開始の操作入力を行なうことにより、定められた測定プログラムにしたがって視標投影位置が制御され、またその際の応答スイッチ１７による応答が入力される。検査中、発生した検査結果に関するデータはＲＡＭ、ハードディスクなど任意の記憶装置から成るメモリ２２に記憶され、また、必要に応じてモニタ２６に表示し、プリンタ２０で表示することができる。なお、ＣＰＵ２１及びメモリ２２、３０などが、視野計１に内蔵されたコンピュータとして機能する。
【００３１】
視野の測定に際しては、公知の方法で、視標板４に配置された視標が、視野ドーム１８内の適宜な位置に投影され、当該投影された視標を認識した被検者は、応答スイッチ１７を所定の制限時間内に操作することにより、ＣＰＵ２１は当該投影された視標１９を被検者が認識したことを認識する。視野測定は、視野ドーム内の多数の測定点について、視標１９を所定の提示時間間隔で投影提示して、被検者がそれら視標をどの程度認識したかにより、公知の手法で演算される。
【００３２】
このとき、ＣＰＵ２１は、視標投影機構５を制御して、視標１９を視野ドーム１８に投影するが、この視野測定に際して、ＣＰＵ２１は、主記憶装置であるメモリ３０から、図３に示す指標提示制御プログラムＰＲＯを読み出して、視標の被検者に対する提示時間間隔を制御し、各被検者の反応時間に合わせた視標提示動作を実行する。
【００３３】
即ち、視野測定動作の開始にあたって、視標提示制御プログラムＰＲＯは、図３のステップＳ１で、ＣＰＵ２１に対して、被検者に対して所定回数（例えば１０回程度）の初期提示動作を実行するように指令する。初期提示動作においては、ＣＰＵ２１は、図２に示すように、視標１９を所定の時間間隔Ｔｂで被検者に対して提示する。この時間間隔Ｔｂは、例えば１．５秒又は３．２秒などの複数の時間間隔Ｔｂが予め設定されており、検査者は、キーボード２７やタッチパネル２９などを介して、ＣＰＵ２１に対して、初期提示動作において使用する提示時間間隔Ｔｂを選択設定することが出来る。
【００３４】
この初期提示動作においては、図２に示すように、まず、視標１９が視野ドーム１８内の適宜な位置に時間Ｔａ（例えば０．２秒）の間、投影提示され、被検者は、視標１９が視野ドーム１８に提示されたことを認識された時点Ｐ１で、応答スイッチ１７を操作する。すると、ＣＰＵ２１が、視標が提示されてから被検者が認識するまでの時間を応答時間Ｔｄとして演算し、メモリ２２に測定結果として格納する。このとき、被検者が視標１９を確認することが出来ずに、応答スイッチ１７を操作しなかった場合には、視標１９が視野ドーム１８に提示された時点Ｐ２から前述した所定の提示時間間隔Ｔｂ（例えば、１．５秒又は３．２秒で、キーボード２７などの入力手段を介して検査者が適宜設定することが出来る）の経過後の時点Ｐ３に、別の視標１９が視野ドーム１８内に提示される。
【００３５】
被検者が視標１９を認識して、応答スイッチ１７を操作した場合には、ＣＰＵ２１は応答スイッチ１７が操作された時点Ｐ１から、所定時間Ｔｃ（例えば０．６秒）後の時点Ｐ４に、次の視標１９を視野ドーム１８内の適宜な位置に投影表示し、次の視標１９による測定動作に移行する。
【００３６】
視標提示制御プログラムＰＲＯは、ステップＳ１で、上記した初期提示動作を複数回（例えば１０回）繰り返す。次に、ステップＳ２で、メモリに格納された、それら複数回の初期提示動作において、被検者が示した応答時間Ｔｄに基づいて、それらの時間Ｔｄの平均値又はそれらの時間Ｔｄの中の最大値を、被検者応答時間Ｔｔとして演算する。被検者応答時間Ｔｔは、被検者の初期提示動作における応答時間Ｔｄの代表値として採用することが出来る限り、単なる平均値又は最大値に限らず、より複雑な演算処理を行って被検者応答時間Ｔｔを演算するように構成してもよい。
【００３７】
例えば、被検者が視標１９を発見出来ずに、視標１９が提示された時点Ｐ２から所定の提示時間間隔Ｔｂ後に次に視標１９が提示された場合が生じた際には、その際の応答時間Ｔｄは、所定の提示時間間隔Ｔｂを応答時間Ｔｄとして採用してもよいし、また、当該測定を測定回数から除外して、被検者応答時間Ｔｔを演算してもよい。即ち、演算された被検者応答時間Ｔｔが、被検者の計測動作における実情からかけ離れた値とならない限り、どのように処理しても良い。
【００３８】
こうして、複数回の初期提示動作における被検者の応答時間Ｔｄの計測が完了したところで、視標提示制御プログラムＰＲＯは、ステップＳ３に入り、ＣＰＵ２１に対して当該被検者について本測定動作に入るように指令する。視標提示制御プログラムＰＲＯは、ＣＰＵ２１を介して本測定動作に入り、ステップＳ４で、演算された被検者の被検者応答時間Ｔｔに基づいて、ＣＰＵ２１を介して、本測定動作において被検者に対して提示する視標の提示間隔Ｔｅを演算する。即ち、演算された当該被検者についてに被検者応答時間Ｔｔから、視標提示間隔Ｔｅを、
Ｔｅ＝Ｔｔ＋（余裕時間値Ｔｙ）＋（ランダム時間値Ｔｒ）
として、演算する。余裕時間値Ｔｙは、ランダム時間値Ｔｒが最短時間（例えば０秒）となった場合でも、最小限の余裕時間を生じさせて、被検者に測定に際した精神的な余裕を与えるために設けたれた時間で、通常０．１秒〜０．２秒程度に設定するが、その値は任意である。ランダム時間値Ｔｒは、ＣＰＵ２１がランダムに演算発生させる時間値であり、通常０〜１秒の間の任意の値を発生することが出来るが、ランダムに発生させる時間の範囲は任意である。なお、ランダム時間値Ｔｒを、余裕時間Ｔｙを考慮して、０秒を超える所定時間以上から任意の時間範囲となるようにＣＰＵ２１に演算発生させ、特に余裕時間Ｔｙを設けなくてもよい。
【００３９】
即ち、最低限、
Ｔｅ＝Ｔｔ＋（ランダム時間値Ｔｒ）
の加算演算により、視標提示間隔Ｔｅを演算して求めることが出来る。
【００４０】
こうして、これから視野測定を行おうとする被検者についての、被検者応答時間Ｔｔが求められたところで、視標提示制御プログラムＰＲＯはステップＳ５に入り、ＣＰＵ２１を介して、被検者に対して提示する視標１９の時間間隔を、演算された視標提示間隔Ｔｅで行う本測定動作を実行する。
【００４１】
即ち、図２に示すように、ＣＰＵ２１により視標１９が視標投影機構５を介して視野ドーム１８に提示された時点Ｐ２から、ＣＰＵ２１は被検者が応答スイッチ１７を押下するまでの時間Ｔｄの間、待機している。ここで、被検者が応答スイッチ１７を押下せずに所定提示時間間隔Ｔｂが経過した場合には、間隔Ｔｂが経過した時点Ｐ３でＣＰＵ２１は、次に視標１９を視野ドーム１８内の次の提示位置に投影して、被検者は当該視標１９を認識出来無かったものと判断するが、所定提示時間間隔Ｔｂ内の応答時間Ｔｄの時点Ｐ１で、被検者が応答スイッチ１７を押下した場合には、被検者が応答した被検者応答時間Ｔｄから、視標提示間隔Ｔｅを演算する。
【００４２】
この視標提示間隔Ｔｅの演算は、視標１９が被検者に提示されるたびに演算されるので、毎回ランダム時間値Ｔｒは変化して、演算される視標提示間隔Ｔｅも異なることとなる。ＣＰＵ２１は、こうして演算された視標提示間隔Ｔｅに基づいて、被検者に提示すべき視標１９のタイミングを、前回視標１９が被検者に提示された時点Ｐ２から時間Ｔｅが経過した時点Ｐ５で提示するように決定し、視標投影機構５を介して時点Ｐ５で次の視標１９を被検者に提示する。
【００４３】
こうして、ステップＳ６で所定数の視標１９についての提示動作を完了させたところで、測定動作は終了し、ＣＰＵ２１は測定結果の演算にはいるが、既に述べたように、視標１９が提示されるたびに、次の視標の提示タイミングが、視標提示間隔Ｔｅとして演算されるので、そのタイミングはランダム時間値Ｔｒにより、被検者が応答スイッチ１７を押下した後、次に視標１９が提示されるまでの時間が、ランダムに変化する形で制御される。これにより、被検者は次の視標提示のタイミングを予め予測することが不可能となり、緊張感を持って、測定動作を継続することが出来る。
【００４４】
また、視標提示間隔Ｔｅは、各被検者が、実際に視標１９を認識して応答スイッチ１７を押下した時点Ｐ１の応答時間Ｔｄを実測して、その複数回の実測値に基づいて被検者応答時間Ｔｔが演算決定される。そして、視標提示間隔Ｔｅは、被検者応答時間Ｔｔ経過後の時間が、ランダム時間値Ｔｒとして変化する形で測定毎に演算決定されるので、各被検者の応答特性に適した視標提示間隔Ｔｅを演算決定することが出来る。即ち、反応が遅く、応答時間Ｔｄが一般に長い高齢者であっても、反応が早く、応答時間Ｔｄが一般に短い若者であっても、各被検者についての個別の応答時間Ｔｄが考慮された形で被検者応答時間Ｔｔが演算決定され、視標提示が早すぎて、検査速度に被検者が追いつけずに、適正な検査が出来なかったり、視標提示が遅すぎて、検査時間が長大化したりするような事態が未然に防止される。
【産業上の利用可能性】
【００４５】
本発明は、視野計及び視野計に内蔵されたコンピュータに実行させる視野計用プログラムとして利用することが出来る。
【図面の簡単な説明】
【００４６】
【図１】図１は、視野計の構造の一例を示す図。
【図２】図２は、視標の提示タイミングと被検者の応答タイミングの一例を示すタイムチャート。
【図３】図３は、視標提示制御の一例を示すフローチャート。
【符号の説明】
【００４７】
１８……視野ドーム
１９……視標
５０……視野計
Ｔｄ……応答時間
Ｔｒ……ランダム時間値
Ｔｔ……被検者応答時間
Ｔｅ……視標の提示間隔
【図１】
2007029112.tif 000003
【図２】
2007029112.tif 000004
【図３】
2007029112.tif 000005